(57)【要約】  係止装置（１７）を有する製品自動販売機（１）であって、ガイド（１８）に沿って転動するよう十分な遊びを伴ってガイド（１８）に沿って適合されるローラ列（１９）が、多数の楔部材（２８，３０）の１つによって選択的に係合され、遊びを排除し且つローラ（１９）を移動してコンパクト構造にすることで、他の楔部材（２８，３０）の挿入を阻止する。各楔部材（２８，３０）は、関連する可動部材、例えば、機械（１）のトレイ（８）又はドア（５）で移動可能である。
2012522299.tif 000002
【特許請求の範囲】
【請求項１】
空間を定めるキャビネットと、
多数の可動部分とを含み、
該多数の可動部分は、前記空間を閉塞するための正面ドアと、それぞれの数の製品を支持するよう前記空間の内側に配置される多数のトレイとを含み、各可動部分は、それぞれの第一動作位置とそれぞれの第二動作位置との間で移動するよう取り付けられる、
製品自動販売機であって、
係止装置と、多数の鍵手段とを含み、
該多数の鍵手段の各々は、前記他の可動部分の各々がそれぞれの第二位置に移動されるのを防止するために、前記関連する可動部分が第二動作位置に移動されるときに前記係止装置を作動するよう、それぞれの前記可動部分によって動作されることを特徴とする、
製品自動販売機。
【請求項２】
前記ドアは、前記空間を開閉する開放位置と閉塞位置との間で移動可能であり、前記閉塞位置は、前記ドアの前記第二動作位置である、請求項１に記載の製品自動販売機。
【請求項３】
各トレイは、前記空間の完全に内側の製品販売位置と部分的に抜き出された製品装填位置との間で、前記ドアに対して横方向に移動するよう取り付けられる、前記部分的に抜き出された製品装填位置は、各トレイの前記第二動作位置である、請求項１又は２に記載の製品自動販売機。
【請求項４】
前記係止装置は、前記空間の内側の固定位置に配置され且つ前記ドアと平行な方向に延びるガイドと、該ガイドに沿って移動する十分な遊びを備えて前記ガイドに適合される多数の係止部材とを含み、前記鍵手段は、多数の楔部材を含み、該多数の楔部材の各々は、係止位置に移動するよう、前記それぞれの第二動作位置に移動するそれぞれの前記可動部分によって選択的に動作され、前記係止位置において、前記楔部材は、前記遊びを排除し且つ前記係止部材を移動してコンパクト構造にして他の楔部材の挿入を阻止するよう、前記係止部材の間に挿入される、請求項１乃至３のうちのいずれか１項に記載の製品自動販売機。
【請求項５】
前記ガイドは、前記キャビネットに固定され、前記係止部材は、ローラによって定められ、該ローラは、互いに並びに前記ドアと平行なそれぞれの軸を有し、前記ガイドに沿って横方向に転動するよう取り付けられる、請求項４に記載の製品自動販売機。
【請求項６】
前記キャビネットは、２つの横壁を含み、前記ガイドは、前記横壁のうちの１つに剛的に接続される、請求項５に記載の製品自動販売機。
【請求項７】
前記トレイは、前記横壁と前記ドアに対して横方向に延びるそれぞれの実質的に水平な平面内で前記横壁の間に延び、前記横壁は、調節手段を有し、該調節手段によって、前記トレイを、各２つの隣接するローラの前記中心距離と実質的に等しい前記調節手段の所与の中心距離に従って、前記空間の内側の異なるレベルに位置付ける、請求項６に記載の製品自動販売機。
【請求項８】
各トレイは、前記トレイに剛的に接続されるそれぞれの楔部材を備える、請求項４に記載の製品自動販売機。
【請求項９】
各トレイは、前記ガイドを備える前記横壁に面する前記トレイの横縁部に沿って配置されるロッドを含み、各ロッドは、２つの隣接するローラの間の接触線に面し且つ整列される鋭い端部を含み、且つ、関連する楔部材を定める、請求項７及び８に記載の製品自動販売機。
【請求項１０】
前記ドアによって動作される前記楔部材は、前記横壁の１つに適合される、請求項４及び６に記載の製品自動販売機。
【発明の詳細な説明】
【技術分野】
【０００１】
本発明は、製品自動販売機(product vending
machine)に関する。
【０００２】
より具体的には、本発明は、空間を定めるキャビネットと、多数の可動部分とを含み、多数の可動部分は、空間を閉塞する正面ドアと、それぞれの数の製品を支持するために空間の内側に配置される多数のトレイとを含み、各可動部分は、それぞれの第一動作位置と第二動作位置との間で移動可能である種類の製品自動販売機に関する。
【背景技術】
【０００３】
上記種類の自動販売機内のトレイは、操作者による容易な製品装填のために、最初にドアを開放した後、空間内の通常積込み位置から抜出し装填位置に移動可能であるのが普通である。
【０００４】
装填時のトレイの比較的重い重量は、機械が倒れるのを防止するために、製品装填時に１度に１つずつのトレイの移動を可能にするという課題を提示する。
【０００５】
通常の、即ち、閉塞ドアの動作条件では、上記種類の自動販売機は、例えば、破壊者による機械の激しい震動の事態において、トレイが緩み、ドアに突っ込み、よって、ドア及びトレイの両方を損壊することが防止され、場合によっては、機械を倒すことも防止されるよう、トレイを積込み位置に固定するという課題も提示する。
【発明の概要】
【発明が解決しようとする課題】
【０００６】
上記の両方の課題に対する直接的で低コストの解決策をもたらすよう設計される製品自動販売機を提供することが本発明の目的である。
【課題を解決するための手段】
【０００７】
本発明によれば、請求項１において請求されるような、好ましくは、請求項１に直接的又は間接的に従属する後続の請求項のいずれかにおいて請求されるような製品自動販売機が提供される。
【０００８】
付属の図面を参照して本発明の非限定的な実施態様を一例として記載する。
【図面の簡単な説明】
【０００９】
【図１】本発明に従った自動販売機の好適実施態様を示す斜視図である。
【図２】図１の詳細を示す拡大図である。
【図３】動作構造を詳細に示す図１の側面図である。
【図４】動作構造を詳細に示す図１の側面図である。
【図５】明瞭性のために一部が取り外された状態で図４における詳細を示す拡大図である。
【図６】図５のＶＩ−ＶＩに沿う断面を示す断面図である。
【発明を実施するための形態】
【００１０】
図１中の番号１は、キャビネット２を含む製品自動販売機を全体的に示しており、キャビネット２は、内部空間３を定め、２つの横壁４と、透明材料のパネルによって部分的に定められる正面ドア５とを有する。ドア５の底部にあるハッチ６がドア５の内側に接続される取出しビン（図示せず）を閉塞し、使用者が透明材料パネルと並んでドア５上にあるプッシュボタンパネル７で選択される製品を取り出すのを可能にするよう、ハッチ６を外側から開き得る。
【００１１】
空間３の内側に、機械１は多数の製品支持トレイ８を収容し、製品支持トレイ８は、ドア５に面して位置付けられ、垂直方向に離間して積み重なり、横壁４及びドア５に対して横方向のそれぞれの実質的に水平な平面において横壁４の間に延在する。図１に示され、図３により明らかに示されるように、通常販売位置において、ドア５とドア５に面するトレイのそれぞれの正面端部との間に、下方の取出しビン（図示せず）と連絡する落下シャフト(drop shaft)９を定めるよう、トレイ８は空間３の後部を占める。
【００１２】
図１及び２を参照すると、各トレイ８は、各々がキャビネット２のそれぞれの横壁４に面する２つの側部１１によって、並びに、ベース１０及びドア５に対して垂直な多数の隔壁(partition)１２によって、実質的に水平な平面内に位置するベース１０によって定められるフレームを含み、隔壁１２は、トレイ８を多数の通路(channel)に分割し、通路は異なる幅を有し、ドア５に対して垂直に延び、通路の幅に依存して、１つ又はそれよりも多くのコラム(column)内に配置される多数の製品をそれぞれ収容し得る。
【００１３】
各通路は、動力運搬手段を有し、動力運搬手段は、使用中、ドア５に対して垂直な進行方向Ｄにおいて通路に沿って関連する製品列(column of products)を供給し且つ製品を１度に１つずつ落下シャフト９内に供給するよう選択的に作動される。
【００１４】
例えば、図２中の頂部トレイ８の各通路は、各製品列のために、関連する製品を進行方向Ｄにおいて落下シャフト９に供給するための螺旋コンベヤ１３を有し、図２中の底部トレイ８の各通路は、各製品列のために、関連する製品をそれぞれの選択的な製品解放装置１５を介して進行方向Ｄにおいて落下シャフト９に供給するためのベルトコンベヤ１４を有する。螺旋コンベヤ及びベルトコンベヤの双方並びに関連する解放装置１５は、製品自動販売機業界において既知であり且つ一般的に使用されており、従って、詳細には記載されない。
【００１５】
操作者が製品をトレイ８上に容易に装填するのを可能にするために、ドア５が開放されるとき、トレイ８を進行方向Ｄにおいて通常販売位置（図４中の頂部トレイ）から装填位置（図４中の底部トレイ）に移動し得るよう、各トレイ８は横壁４の間に取り付けられる。トレイ８は、装填位置において、落下シャフト９を横断して空間３から部分的に突出する。
【００１６】
この動作を許容するために、各トレイ８のフレームは、各々が対応する横壁４に面するフレームの縁部と一体的である２つの横方向ガイド（図示せず）を含み、ベース１０によって摺動的に係合され、少なくとも２つの締付けキャビティ１６と取り外し可能に係合し、少なくとも２つの締付けキャビティ１６は、互いに同一平面にあり、他の横方向ガイドによって係合され、ドア５に対して垂直な水平な平面内に位置する。より具体的には、各横壁４内のキャビティ１６は、少なくとも２つの平行な垂直コラム（１つだけが図２に示されている）内に配置され、それらの各々において、キャビティ１６は、所与の中心距離Ｐで均等に離間するので、使用中、必要に応じて、操作者がトレイ８を異なるレベルに単に移動することによって、各トレイ８の高さを調節し得る。
【００１７】
図１、２、及び、５に示されるように、機械１は、係止装置１７も含み、係止装置１７は、ドア５が閉塞されているとき、全てのトレイ８をそれらのそれぞれの販売位置において係止し、ドア５が開放され且つ１つのトレイ８が装填位置にあるとき、全ての他のトレイをそれらのそれぞれの販売位置において係止する、即ち、１度に１つのトレイ８だけが抜き出されることを許容する。
【００１８】
係止装置１７は、横壁４に剛的に接続され且つトレイ８と落下シャフト９との間に垂直に延びる管状ガイド１８によって定められる転動部材保持体と、横方向に転動する方法で管状ガイド１８内に適合されるローラ列(column of rollers)１９とを含む。
【００１９】
より具体的には、図５に示され、図６により詳細に示されるように、管状ガイド１８は、内部キャビティ２０を定める管状のＣ断面プロファイルによって定められ、内部キャビティ２０は、垂直軸２１と同軸であり、反対の横壁４に面する側の長手スリット２２を通じて１つの支持ガイド１８に外向きに開放され、管状ガイド１８のそれぞれのストップを定める２つのストップ２３（それらのうちの頂部ストップのみが図面に示されている）によってその軸方向両端部で閉塞される。
【００２０】
各ローラ１９は、軸１１に対して垂直な軸２４を有し、同じ直径の２つの端部分２５，２６と、より小さい直径の中心部分２７とを含み、２つの端部分のうちの端部分２５は、横方向に転動する方法でキャビティ２０の内側に収容され、中心部分は、端部分２５及び２６を接続し、横方向に転動する方法でスリット２２と係合して、管状ガイド１８に沿ってローラ１９を案内する。
【００２１】
係止装置１７が休止しているとき（図示せず）、ローラ列１９は、ローラ１９の直径とほぼ等しいある量Ａの遊びを伴って、軸２１に沿って管状ガイド１８内に緩く位置付けられる。従って、スリット２２に沿って転動自在であることで、ローラ１９は、重力によって、底部ストップ２３（図示せず）の頂部上に順に重なって位置し、遊びの量と等しい間隙の大きさＡが、コラム内で頂部ストップ２３と頂部ローラ１９との間に形成される。
【００２２】
係止装置１７は、ローラ１９間の遊びを排除するようローラ１９間に選択的に適合し、よって、ローラ列１９を移動してコンパクトな動作構造にするよう設計される楔手段も含み、そのコンパクトな動作構造において、ローラ列１９は、販売位置にあるトレイ８が移動して装填位置になるのを防止するよう、トレイ８の障壁を形成する。
【００２３】
記述のように、ドア５が開放されているとき、楔手段は、販売位置にある全ての他のトレイ８を係止するよう、トレイ８を装填位置に移動することによって作動され、或いは、販売位置にある全てのトレイ８を係止するよう、ドア５を閉塞することによって作動される。
【００２４】
上記係止モードの第一係止モードを達成するために、楔手段は、各トレイ８のために、ロッド２８を含み、ロッド２８は、管状ガイド１８を支持する横壁４に面するトレイ８の側部に剛的に接続され、前記横壁４と平行な水平方向に延び、鋭い端部２９を有し、鋭い端部２９は、その先端が管状ガイド１８に面して位置付けられ、２つのローラ１９の接触平面内に位置し、２つのローラ１９の接触線と整列される。結果的に、トレイ８の１つが、それぞれのロッド２８と共に、販売位置から装填位置（図４）に移動されるとき、ローラ列１９をトレイ８より上に上昇するために、ロッド２８は、ロッド２８と水平に整列される２つのローラ１９の間に挿入される。各ロッド２８は、遊びの量Ａと実質的に等しい厚さを有するので、ロッド２８が、ロッドと整列される２つのローラ１９の間に挿入されるとき、ローラ列内の頂部ローラ１９は、頂部ストップ２３に対して押し付けられ、ローラ１９はコンパクトな構造を取り、他のロッド２８の挿入を阻止する。
【００２５】
図２に示されるように、トレイ８の種類及びトレイ上で利用可能な空間に依存して、ロッド２８を（ベルトコンベヤ１４を備えるトレイ８の場合におけるように）管状ガイド１８に面する側部１１の頂縁部に、或いは、側部１１の外側に、（螺旋コンベヤ１３を備えるトレイ８の場合におけるように）ベース１０の横縁部に配置し得る。
【００２６】
ロッド２８がトレイ８上のどこに配置されるかに拘わらず、トレイ８が装填位置に移動されるとき、ロッド２８が２つのローラ１９の間に滑らかに適合するよう、端部２９が２つのローラ１９の接触線と実質的に水平に整列されることが重要である。
【００２７】
従って、記述のように、キャビティ１６を用いてトレイ８を空間３の内側で異なる高さに位置付け得るので、ローラ１９の中心距離は、キャビティ１６の中心距離と等しい。従って、トレイ８上のロッド２８の正しい位置が構築されるや否や、空間３の内側のトレイ８の各高さについて上記整列が達成される。
【００２８】
ドア５が閉じられるときに全てのトレイ８を係止するために、楔手段は、頂部ストップ２３に近接してドア５と管状ガイド５との間に配置され且つ実質的に矩形の板によって定められる楔部材３０を含む。これは管状ガイド１８に面する側に突起３１を有し、休止位置（図４、５）と作動位置（図３）との間で軸２４と平行なピン３２について往復動するよう壁４に蝶番付けられる。休止位置は、ドア５が開放であるときに取られ、休止位置において、楔部材３０は管状ガイド１８又はローラ列１９と干渉しない。作動位置は、ドア５が閉塞され且つトレイ８が全て販売位置にあるときに取られ、作動位置において、楔部材３０は、ドア５と一体的な固定押圧部材３３によって、管状ガイド１８に押し付けられるので、突起３１はコラム内の頂部ローラ２３と頂部ローラ１９との間の間隙を完全に充足し、よって、管状ガイド１８とローラ１９との間の遊びを排除し、従って、コンパクトな構造を取るので、ドア５が閉塞されるとき、トレイ８は販売位置から外に移動し得ない。
【００２９】
機械１の動作は上述の記載から明らかであり、更なる説明を要しない。
【００３０】
結論を言えば、図示されない変形において、落下シャフト９に沿って配置されるのに反して、管状ガイド１８をトレイ８と並んで空間３の後方に配置し得る。そのような場合には、上述されたように、トレイ８の移動がロッド２８を移動し、押圧部材３３の移動が楔部材３０を移動するよう、伝達部材が各トレイ８とそれぞれのロッド２８との間に、並びに、押圧部材３３と楔部材３０との間に介装される。
【図１】
2012522299.tif 000003
【図２】
2012522299.tif 000004
【図３】
2012522299.tif 000005
【図４】
2012522299.tif 000006
【図５】
2012522299.tif 000007
【図６】
2012522299.tif 000008
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
空間を定めるキャビネットと、
前記空間をそれぞれ開閉する開放位置と閉塞位置との間で移動可能な正面ドアと、
多数のトレイと、
係止装置とを含み、
前記多数のトレイの各々は、それぞれの数の製品を支持するよう前記空間の内側に配置され、且つ、前記ドアに対して横方向に、前記空間の完全に内側の製品販売位置と部分的に抜き出された製品装填位置との間で移動するよう取り付けられ、
前記係止装置は、前記空間の内側の固定位置に配置され、且つ、前記ドアと平行な方向に延びるガイドと、該ガイドに沿って移動する十分な遊びを備えて前記ガイドに適合される多数の係止部材とを含む、
自動製品販売機であり、
多数の第一楔部材を含む多数の鍵手段を更に含み、
前記多数の第一楔部材の各々は、係止位置に移動するよう、前記それぞれの装填位置に移動するそれぞれのトレイによって選択的に動作され、前記係止位置において、前記第一楔部材は、前記遊びを排除し、前記係止部材を移動してコンパクトな構造にし、他の第一楔部材の挿入を阻止し且つ全ての他のトレイを製品販売位置に係止するよう、前記係止部材の間に挿入される、
製品自動販売機であって、
前記鍵手段は、係止位置に移動するよう、前記閉塞位置に移動する前記ドアによって動作される第二楔部材を含み、前記係止位置において、前記第二楔部材は、前記遊びを排除し、前記係止部材を移動して前記コンパクトな構造にし、前記第一楔部材の挿入を阻止し且つ全てのトレイを前記製品販売位置に係止するよう、前記係止部材の間に挿入される、
製品自動販売機。
【請求項２】
前記ガイドは、前記キャビネットに固定され、前記係止部材は、ローラによって定められ、該ローラは、互いに並びに前記ドアと平行なそれぞれの軸を有し、前記ガイドに沿って横方向に転動するよう取り付けられる、請求項１に記載の製品自動販売機。
【請求項３】
前記キャビネットは、２つの横壁を含み、前記ガイドは、前記横壁のうちの１つに剛的に接続される、請求項２に記載の製品自動販売機。
【請求項４】
前記トレイは、前記横壁と前記ドアに対して横方向に延びるそれぞれの実質的に水平な平面内で前記横壁の間に延び、前記横壁は、調節手段を有し、該調節手段によって、前記トレイを、各２つの隣接するローラの前記中心距離と実質的に等しい前記調節手段の所与の中心距離に従って、前記空間の内側の異なるレベルに位置付ける、請求項３に記載の製品自動販売機。
【請求項５】
各トレイは、前記トレイに剛的に接続されるそれぞれの楔部材を備える、請求項１乃至４のうちのいずれか１項に記載の製品自動販売機。
【請求項６】
各トレイは、前記ガイドを備える前記横壁に面する前記トレイの横縁部に沿って配置されるロッドを含み、各ロッドは、２つの隣接するローラの間の接触線に面し且つ整列される鋭い端部を含み、且つ、関連する楔部材を定める、請求項５に記載の製品自動販売機。
【請求項７】
前記ドアによって動作される前記楔部材は、前記横壁の１つに適合される、請求項１乃至６のうちのいずれか１項に記載の製品自動販売機。
【国際調査報告】
2012522299.tif 000009
2012522299.tif 000010
2012522299.tif 000011